(57)【特許請求の範囲】
【請求項１】
表示するタイトルの種類を複数のなかから選択するための選択手段と、選択されている種類のタイトルが得られない場合に、選択されているタイトルの種類を他の種類に切り替える切り替え手段と、を備えた車載用ディスク再生装置において、
タイトルの種類を切り替えるときその旨を表示するように構成されたことを特徴とする車載用ディスク再生装置。
【請求項２】
表示するタイトルの種類を複数のなかから選択するための選択手段と、選択されている種類のタイトルが得られない場合に、選択されているタイトルの種類を他の種類に切り替える切り替え手段と、を備えた車載用ディスク再生装置において、
前記選択手段によってタイトルの種類が選択された後予め決められた時間の間、前記切り替えを行わないように構成されたことを特徴とする車載用ディスク再生装置。
【請求項３】
前記切り替え手段は、選択された種類のタイトルが得られない場合に、タイトルを表示しようとするディスクに対応して予め記憶装置に記録されたユーザータイトルを表示するように構成されたことを特徴とする請求項１又は２記載の車載用ディスク再生装置。
【請求項４】
制御用の第１のユニットと、ディスクアクセス用の第２のユニットを前記第１のユニットに接続するための手段と、を備えた車載用ディスク再生装置において、
前記第１のユニットは、表示するタイトルの種類を複数のなかから選択するための選択手段と、選択されている種類のタイトルをディスクから読み出すための読出手段を、接続されている前記第２のユニットが備えているかどうかを判定するための手段と、前記第２のユニットが前記読出手段を備えていないと判定された場合に、選択されているタイトルの種類を他の種類に切り替える切り替え手段と、を備え、
タイトルの種類を切り替えるときその旨を表示するように構成されたことを特徴とする車載用ディスク再生装置。
【請求項５】
制御用の第１のユニットと、ディスクアクセス用の第２のユニットを前記第１のユニットに接続するための手段と、を備えた車載用ディスク再生装置において、
前記第１のユニットは、表示するタイトルの種類を複数のなかから選択するための選択手段と、選択されている種類のタイトルをディスクから読み出すための読出手段を、接続されている前記第２のユニットが備えているかどうかを判定するための手段と、前記第２のユニットが前記読出手段を備えていないと判定された場合に、選択されているタイトルの種類を他の種類に切り替える切り替え手段と、を備え、
前記選択手段によってタイトルの種類が選択された後予め決められた時間の間、前記切り替えを行わないように構成されたことを特徴とする車載用ディスク再生装置。
【請求項６】
選択されている種類のタイトルが、セットされているディスクについて設定されているかどうかを判定するための手段を備え、前記切り替え手段は、前記選択されている種類のタイトルが前記ディスクについて設定されていないと判定された場合に、表示するタイトルの種類を他の種類に切り替えるように構成されたことを特徴とする請求項１から５のいずれか１つに記載の車載用ディスク再生装置。
【請求項７】
前記切り替え手段は、表示するタイトルの種類が３種類以上のなかから選択されている場合に、各種類間で予め決められた優先順位にしたがって前記切り替えを行うように構成されたことを特徴とする請求項１から６のいずれか１つに記載の車載用ディスク再生装置。
【請求項８】
前記選択手段は、表示するタイトルの種類を、ディスクに対応して予め記憶装置に記録されたユーザータイトルと、ディスクに記録されたディスクタイトル及びトラックタイトルと、のなかから選択するように構成され、前記切り替え手段は、選択されているユーザータイトルが得られない場合、トラックタイトル、ディスクタイトルの優先順位で、得られる方に表示を切り替え、選択されているディスクタイトルが得られない場合、トラックタイトル、ユーザータイトルの優先順位で、得られる方に表示を切り替え、選択されているトラックタイトルが得られない場合、ディスクタイトル、ユーザータイトルの優先順位で、得られる方に表示を切り替えるように構成されたことを特徴とする請求項１から７のいずれか１つに記載の車載用ディスク再生装置。
【発明の詳細な説明】
【０００１】
【発明の属する技術分野】
この発明は、ＭＤなどのディスクを再生する技術の改良にかかわるもので、より具体的には、選択された種類のタイトルが得られなくても、表示するタイトルの種類を自動切り替えすることで、表示領域を有効活用してディスクの識別を容易にする車載用ディスク再生装置及びその制御方法並びに車載用ディスク再生装置の制御用ソフトウェアを記録した記録媒体に係るものである。
【０００２】
【従来の技術】
近年、電子技術の発達に伴い、音楽などの音響を記録するＣＤ（コンパクトディスク）やＭＤ（ミニディスク）などのデジタルディスク（ディスクと呼ぶ）と、このようなディスクから音響を再生するディスク再生装置（プレーヤと呼ぶ）が普及しつつある。このようなディスクにおいて、個々のディスクや、１枚のディスクに記録される複数の録音内容（トラックと呼ぶ）をユーザーが識別しやすいように、これら個々のディスクや個々のトラックを対象としてタイトルを設定及び表示する技術も知られている。
【０００３】
このようなタイトルは、典型例には文字列を表すテキストデータとして表現され、タイトルの種類として、ユーザータイトル、ディスクタイトル、トラックタイトルなどが挙げられる。このうちユーザータイトルは、ディスク再生装置のユーザーがディスクやトラックを対象に自由に設定し、ディスクのＩＤ番号などと対応付けられてディスク再生装置側のメモリなどに記録されるもので、書き換え不可能なＣＤなどのディスクについても設定することができる。
【０００４】
また、ディスクタイトルとトラックタイトルは、それぞれディスクとトラックとを単位として記録媒体自体に記録されるもので、例えば、ＭＤでは、市販の既製音楽ソフトにはこれらの少なくとも一方が設定済みのものがあり、ユーザー側で録音したＭＤにこれらを設定できるディスク再生装置も普及している。また、ＣＤのうち、旧来のＣＤやディスク再生装置では、ディスクタイトル、トラックタイトルのどちらも扱うことができないが、いわゆるＣＤ−ＴＥＸＴ対応のディスク（タイトルメディアなどと呼ばれる）とディスク再生装置を組み合わせればディスクタイトル、トラックタイトルを両方扱うことができる。
【０００５】
上記のようなタイトルを取り扱うことができるディスク再生装置として、車載用ディスク再生装置いわゆるカーオーディオも知られているが、特にカーオーディオでは小型化の必要性から表示領域が少なく、ディスクの情報として上記のような複数種類のタイトルを一度にすべて表示することはできない。
【０００６】
このため、従来のカーオーディオでは、複数の表示モードを手動で選択できるようにし、個々の表示モードごとに、どの種類のタイトルを表示するかを一意に固定していた。このような従来技術では、例えば、ユーザータイトル表示モードであれば、表示元のディスクユニットを切り替えたりディスクを入れ替えたりしてもユーザータイトルのみを表示し、同様にディスクタイトル表示モードであればディスクタイトルのみを表示し、トラックタイトル表示モードであればトラックタイトルのみを表示していた。
【０００７】
【発明が解決しようとする課題】
しかしながら、上記のような従来技術では、手動で選択されているモードに対応する種類のタイトルが得られない場合に、ディスクやトラックの識別が困難という問題点があった。例えば、ユーザータイトルは、ユーザーが入力するものであるため一律に表示しても問題は少ないが、必ずしも入力されているとは限らない。また、ＭＤのディスクタイトルとトラックタイトルは、ディスクによってはユーザーの意向とは無関係に、入力されていたりいなかったりする場合がある。さらに、ＣＤについては、上記のようにディスクとカーオーディオの両方がＣＤ−ＴＥＸＴ対応の場合のみタイトルを読み取って表示することができる。
【０００８】
このようにディスクタイトルやトラックタイトルなど種類ごとのタイトルは、条件に応じて、存在したりしなかったり、また、読み取れたり読み取れなかったりする。このため、表示モードを手動で選択する従来技術では、表示モードに合うタイトルが得られないと、空白やタイトル無しを示す文字またはマークなどを表示することになる。この場合、タイトルの表示領域を有効に活用できないだけでなく、カーオーディオに現在挿入されているディスクやそのトラックを識別することが困難であった。
【０００９】
この発明は、上記のような従来技術の問題点を解決するために提案されたもので、その目的は、選択された種類のタイトルが得られなくても、表示するタイトルの種類を自動切り替えすることで、表示領域を有効活用してディスクの識別を容易にする車載用ディスク再生装置及びその制御方法並びに車載用ディスク再生装置の制御用ソフトウェアを記録した記録媒体を提供することである。
【００１０】
【課題を解決するための手段】
上に述べた目的を達成するため、請求項１の発明は、表示するタイトルの種類を複数のなかから選択するための選択手段と、選択されている種類のタイトルが得られない場合に、選択されているタイトルの種類を他の種類に切り替える切り替え手段と、を備えた車載用ディスク再生装置において、タイトルの種類を切り替えるときその旨を表示するように構成されたことを特徴とする。請求項１の発明では、手動選択された種類のタイトルが、ディスクに入力されていないなどの原因で得られないときでも、改めて手動選択の操作を行うまでもなく、表示されるタイトルが他の種類に自動切り替えされるので、ディスクやトラックの識別が容易になる。そして、この自動切り替えのときに、表示モードを表す表示を点灯や点滅するなどによってその旨を表示するので、表示されているタイトルの種類を取り違えることがなく、適切な操作が容易になる。
【００１１】
請求項２の発明は、表示するタイトルの種類を複数のなかから選択するための選択手段と、選択されている種類のタイトルが得られない場合に、選択されているタイトルの種類を他の種類に切り替える切り替え手段と、を備えた車載用ディスク再生装置において、前記選択手段によってタイトルの種類が選択された後予め決められた時間の間、前記切り替えを行わないように構成されたことを特徴とする。請求項２の発明では、手動選択後しばらくはタイトルの種類が自動切り替えされないので、自動切り替え後でも再度手動選択で種類ごとのタイトルの有無を確認することができる。このため、自動切り替えされた状態で手動選択を行ったとき、すぐに再度自動切り替えされてどの種類のタイトルを表示しているかわからなくなるといったことがなく適切な操作が容易になる。また、自動切り替え後でも、所望の種類のタイトルの有無を手動選択で確認し、存在すればその所望の種類を優先して表示させることができる。
【００１２】
請求項３の発明は、請求項１又は２記載の車載用ディスク再生装置において、前記切り替え手段は、選択された種類のタイトルが得られない場合に、タイトルを表示しようとするディスクに対応して予め記憶装置に記録されたユーザータイトルを表示するように構成されたことを特徴とする。請求項３の発明では、ＣＤ−ＴＥＸＴに対応していないＣＤやそのアクセス用ドライブを使う場合のように、ディスク自体に記録されたタイトルが得られない場合でも、ディスクに対応付けて車載用ディスク再生装置のメモリなどに記録されているユーザータイトルを表示することができる。このため、より多くのディスクについて、タイトル表示による識別が容易になる。なお、ユーザータイトルは、ディスクごとに設定できるようにしてもよいし、トラックごとに設定できるようにしてもよいし、ディスクとトラックの双方に設定できるようにしてもよい。
【００１３】
請求項４の発明は、制御用の第１のユニットと、ディスクアクセス用の第２のユニットを前記第１のユニットに接続するための手段と、を備えた車載用ディスク再生装置において、前記第１のユニットは、表示するタイトルの種類を複数のなかから選択するための選択手段と、選択されている種類のタイトルをディスクから読み出すための読出手段を、接続されている前記第２のユニットが備えているかどうかを判定するための手段と、前記第２のユニットが前記読出手段を備えていないと判定された場合に、選択されているタイトルの種類を他の種類に切り替える切り替え手段と、を備え、タイトルの種類を切り替えるときその旨を表示するように構成されたことを特徴とする。請求項４の発明では、ディスクタイトルやトラックタイトルの表示モードが手動選択されているが、再生ソース（音源）として指定された第２のユニットがＣＤ−ＴＥＸＴ未対応の外付けＣＤオートチェンジャであるような場合でも、表示するタイトルの種類がユーザータイトルなどに自動切り替えされるので、ディスクやトラックの識別が容易になる。また、この自動切り替えの際に、表示モードを表す表示を点灯や点滅するなどによってその旨を表示するので、表示されているタイトルの種類を取り違えることがなく、適切な操作が容易になる。
【００１４】
請求項５の発明は、制御用の第１のユニットと、ディスクアクセス用の第２のユニットを前記第１のユニットに接続するための手段と、を備えた車載用ディスク再生装置において、前記第１のユニットは、表示するタイトルの種類を複数のなかから選択するための選択手段と、選択されている種類のタイトルをディスクから読み出すための読出手段を、接続されている前記第２のユニットが備えているかどうかを判定するための手段と、前記第２のユニットが前記読出手段を備えていないと判定された場合に、選択されているタイトルの種類を他の種類に切り替える切り替え手段と、を備え、前記選択手段によってタイトルの種類が選択された後予め決められた時間の間、前記切り替えを行わないように構成されたことを特徴とする。請求項５の発明では、請求項４の発明と同様に再生ソース（音源）として指定された第２のユニットがＣＤ−ＴＥＸＴ未対応の外付けＣＤオートチェンジャであるような場合でも、表示するタイトルの種類がユーザータイトルなどに自動切り替えされるので、ディスクやトラックの識別が容易になる。その上、表示するタイトルの手動選択後しばらくはタイトルの種類が自動切り替えされないので、自動切り替え後でも再度手動選択で種類ごとのタイトルの有無を確認することができる。このため、自動切り替えされた状態で手動選択を行ったとき、すぐに再度自動切り替えされてどの種類のタイトルを表示しているかわからなくなるといったことがなく適切な操作が容易になる。また、自動切り替え後でも、所望の種類のタイトルの有無を手動選択で確認し、存在すればその所望の種類を優先して表示させることができる。
【００１５】
請求項６の発明は、請求項１から５のいずれか１つに記載の車載用ディスク再生装置において、選択されている種類のタイトルが、セットされているディスクについて設定されているかどうかを判定するための手段を備え、前記切り替え手段は、前記選択されている種類のタイトルが前記ディスクについて設定されていないと判定された場合に、表示するタイトルの種類を他の種類に切り替えるように構成されたことを特徴とする。請求項６の発明では、ディスクタイトルやトラックタイトルの表示モードが手動選択されていて、再生ソース（音源）として指定されたＣＤドライブもＣＤ−ＴＥＸＴに対応した外付けＣＤオートチェンジャであるが、セットされているディスクがＣＤ−ＴＥＸＴ未対応のような場合、表示するタイトルの種類がユーザータイトルなどに自動切り替えされるので、ディスクやトラックの識別が容易になる。なお、選択されている種類のタイトルが記録されているかどうかは、読出命令に対してＣＤドライブがディスクに記録されていない旨の信号を返すことなどによって判定することができる。
【００１６】
請求項７の発明は、請求項１から６のいずれか１つに記載の車載用ディスク再生装置において、前記切り替え手段は、表示するタイトルの種類が３種類以上のなかから選択されている場合に、各種類間で予め決められた優先順位にしたがって前記切り替えを行うように構成されたことを特徴とする。請求項８の発明は、請求項１から７のいずれか１つに記載の車載用ディスク再生装置において、前記選択手段は、表示するタイトルの種類を、ディスクに対応して予め記憶装置に記録されたユーザータイトルと、ディスクに記録されたディスクタイトル及びトラックタイトルと、のなかから選択するように構成され、前記切り替え手段は、選択されているユーザータイトルが得られない場合、トラックタイトル、ディスクタイトルの優先順位で、得られる方に表示を切り替え、選択されているディスクタイトルが得られない場合、トラックタイトル、ユーザータイトルの優先順位で、得られる方に表示を切り替え、選択されているトラックタイトルが得られない場合、ディスクタイトル、ユーザータイトルの優先順位で、得られる方に表示を切り替えるように構成されたことを特徴とする。
【００１７】
請求項７，８の発明では、ある第１の種類から切り替える他の種類として、第２の種類と第３の種類のように候補が複数考えられる場合、種類間の関係などに基づいて予め決めた優先順位で切り替えが行われる。このため、例えばディスクタイトルが得られないとき、トラックタイトルが得られればそれを表示し、トラックタイトルがないときはユーザータイトルを表示するといった適切な自動切り替えによって、ディスクやトラックの識別が容易となる。
【００１８】
【発明の実施の形態】
以下、本発明の実施の形態（以下「実施形態」という）について図面を参照しながら説明する。なお、本発明や実施形態を実現するには、プログラムコードやデータなどを含むソフトウェアが、コンピュータやその周囲の回路や機器を制御することが一般的と考えられる。
【００１９】
そのようなソフトウェアは、この明細書の記載にしたがった命令を組み合わせることで作られ、上に述べた従来技術と共通の部分には従来技術で説明した手法も使われる。そして、そのソフトウェアは、ＣＰＵや周辺回路、入出力装置、メモリなどの記憶装置やディスク再生機構といった物理的な資源を活用することで本発明の作用効果を実現する。
【００２０】
但し、ソフトウェアやハードウェアにはいろいろな形式や構成が考えられ、また、本発明の機能の一部をＬＳＩなどの物理的な電子回路で実現することも可能である。このため、以下では、本発明や実施形態に含まれる個々の機能を実現する仮想的回路ブロックを使って、本発明と実施形態とを説明する。
【００２１】
〔１．第１実施形態〕
第１実施形態は、表示するタイトルの種類として、２つのドライブの一方が対応しているＣＤ−ＴＥＸＴに基づくメディア内のタイトルを選択した状態で、ＣＤ−ＴＥＸＴに対応していない他方のドライブに表示元を切り換えた場合に、表示するタイトルの種類をユーザータイトルに切り換える例を示すものである。
【００２２】
なお、本出願にいう「ディスク」は記憶メディアの代表例であり、円盤型の狭義のディスクには限定されないので、大容量メモリカードのような他の種類の記憶メディアも含むものである。このため、以下の説明ではディスクをメディアとも呼び、また、メディアというときは個々のディスクだけでなくディスク中の複数記録できる個々のトラックも意味するものとする。
【００２３】
〔１−１．第１実施形態の構成〕
まず、図１は、第１実施形態の概略的な機器構成を示すブロック図である。すなわち、第１実施形態はこの図に示すように、制御用の第１のユニットであるマスターユニット１に、第２のユニットとして、ディスクアクセス用の外付けＣＤドライブ５，６といった外付け再生ユニットを１つ又は複数接続できる車載用ディスク再生装置である。このうちマスターユニット１は、タイトルなどの情報を表示するための表示器２と、操作用のキー４と、ディスク挿入口１１と、を備えていて、ディスクアクセスを行うための内蔵再生機を内蔵している。
【００２４】
また、図２は、第１実施形態のより具体的な構成例を示す機能ブロック図である。すなわち、この例は、マスターユニット１と、ＣＤオートチェンジャなどの外付け再生ユニット５とを、通信用のＢＵＳライン１００で接続したものであり、このＢＵＳライン１００は、ディスクアクセス用の第２のユニットを第１のユニットに接続するための手段である。
【００２５】
そして、マスターユニット１は、表示器２と、キー４と、上記の内蔵再生機４１に加え、マスターユニット１全体の動作を制御するためのマイクロコンピュータ（マイコンと呼ぶ）３を備えている。また、第１実施形態は、図示はしないが、これらの構成のほか、電源や、アンプ、スピーカなど音響再生のために必要な他の構成要素を備えている。
【００２６】
また、外付け再生ユニット５は、ディスクアクセスを行うための外付け再生機５０と、外付け再生ユニット５全体を制御するためのマイコン５３と、を備えている。ここで、マスターユニット１の内蔵再生機４１はＣＤ−ＴＥＸＴに対応しているが、外付け再生ユニット５の外付け再生機５０はＣＤ−ＴＥＸＴに対応していないものとする。
【００２７】
また、ＣＤ−ＴＥＸＴに対応した再生機は、ディスクタイトルやトラックタイトルといったメディア内のタイトルを読み出すことができ、このような再生機を制御するマイクロコンピュータ３は、選択されている種類のタイトルをディスクから読み出すための読出手段にあたる。なお、このようにメディア内に記録されるタイトルをメディア情報と呼ぶ。
【００２８】
次に、図３は、マスターユニット１を制御するマイクロコンピュータ３の具体的な構成を、表示器２、キー４及び再生機４１，５０とともに示した機能ブロック図である。なお、内蔵再生機４１はマイクロコンピュータ３によって直接制御され、外付け再生機５０は、外付け再生ユニット５内のマイクロコンピュータ５３（図２）を介して間接的にマイクロコンピュータ３によって制御されるが、図３では、これら再生機４１，５０は１つの図形でまとめて示している。
【００２９】
そして、マイクロコンピュータ３は、ユーザータイトル用メモリ３１を備えているほか、上記のようなソフトウェアの作用によって、選択部３２と、判定部３３と、切り替え部３４と、表示制御部３５と、の役割を果たすように構成されている。このうち、メモリ３１は、ユーザータイトルなどの情報を記憶するための記憶装置である。お、ユーザータイトルは、ディスクごとに設定できるようにしてもよいし、トラックごとに設定できるようにしてもよいし、ディスクとトラックの双方に設定できるようにしてもよい。
【００３０】
また、選択部３２は、表示するタイトルの種類を、メディア自体に記録された上記のメディア情報と、個々のメディアに対応付けてメモリ３１内に記録されているユーザータイトルと、のなかから選択するための選択手段であり、ユーザがキー４を操作することで手動でこのような選択を行うための部分である。
【００３１】
また、切り替え部３４は、選択されている種類のタイトルが得られない場合に、選択されているタイトルの種類を他の種類に切り替える切り替え手段であり、選択されたメディア情報が得られない場合に、タイトルを表示しようとするディスクに対応するユーザータイトルを表示するように構成されている。また、判定部３３は、メディア情報が選択されたときに、メディア情報をディスクから読み出すための読出手段を、接続されている外付け再生ユニット５が備えているかどうか、すなわち外付け再生ユニット５の外付け再生機５０がＣＤ−ＴＥＸＴに対応しているかどうか判定するための手段である。
【００３２】
そして、切り替え部３４は、外付け再生ユニット５が前記読出手段を備えていないと判定部３３によって判定された場合に、選択されているメディア情報をユーザータイトルに切り替える切り替え手段である。また、表示制御部３５は、選択又は切り替えに基づく種類のタイトルを表示器２に表示するための手段である。
【００３３】
〔１−２．第１実施形態の作用〕
以上のように構成された第１実施形態は、次のように作用する。
〔１−２−１．第１実施形態の作用の概略〕
第１実施形態では、音声出力や情報表示のソース（情報提供源）を、内蔵再生機４１と外付け再生機５０のいずれかに切り替えることができる。そして、ソース切り替え前の内蔵再生機４１がＣＤ−ＴＥＸＴ対応すなわちメディア情報対応であるため、表示モードとして、ディスクにテキスト（ＴＥＸＴ）データとして記録されているメディア情報を表示するモードを手動選択していた場合を考える。このような場合、ソース切り替え後の外付け再生機５０がＣＤ−ＴＥＸＴ未対応すなわちメディア情報未対応のような場合、表示するタイトルの種類すなわち表示モードがユーザータイトルに自動切り替えされる。
【００３４】
ここで、図４は、第１実施形態において、手動選択による表示モードと、ソースとして選択された再生機との組み合わせに応じて、どのような種類のタイトルが表示されるかを表す図である。なお、この図において、「ＤＩＳＣ  ＩＮＦＯ１」「ＵＳＥＲ  ＴＩＴＬＥ」は、実際にこのような文字列がタイトルとして表示されるという意味ではなく、それぞれ、メディア内のタイトルとユーザータイトルとを代表して表すものである。また、メディア情報未対応の再生機が選択されている場合、メディア情報表示を手動選択できないようにすることが望ましい。
【００３５】
〔１−２−２．処理手順の例〕
次に、第１実施形態におけるタイトル表示のより具体的な処理手順を図５のフローチャートに示す。なお、ユーザは、キー４及び選択部３２により、表示するタイトルの種類をメディア内のメディア情報及びユーザータイトルのなかから選択することができる。そして、タイトル表示を行おうとする場合、まず、表示制御部３５は、現在選択されているタイトルの種類がメディア情報かユーザータイトルかを判断する（ステップ５１）。
【００３６】
そして、選択されている種類がメディア情報でなくユーザータイトルの場合は、選択どおりユーザータイトルを表示対象として（ステップ５４）、表示制御部３５が表示器２にタイトル表示を行う（ステップ５５）。一方、ステップ５１において現在選択されているタイトルの種類がメディア情報と判断された場合、判定部３３が、現在ソースとして選択されている内蔵再生機４１又は外付け再生機５０が、ＣＤ−ＴＥＸＴ対応の再生機（対応再生機と呼ぶ）かどうかを判定する（ステップ５２）。
【００３７】
この判定は、すなわち、選択されている種類のタイトルをディスクから読み出すための読出手段を、これら内蔵再生機４１又は外付け再生機５０が備えているかどうかの判定であり、第２のユニットとして接続されている外付け再生機５０がソースとして選択されている場合、この外付け再生機５０は対応再生機ではないと判定されることになり、現在選択されている種類のタイトルは得られないことになる。
【００３８】
なお、外付けＣＤオートチェンジャなどの第２のユニットが、ＣＤ−ＴＥＸＴなど特定の種類のタイトルに対応しているかどうかをどのように判定するかは自由であるが、例えば、構成確認動作などの際に第２のユニットから第１のユニットへ識別用の信号を送信したり、その種類のタイトルへのアクセスを第１のユニットから第２のユニットに実際に命令して反応をみるなどの例が考えられる。
【００３９】
そして、ステップ５２の判定において、現在ソースとして選択されている再生機が対応再生機と判定された場合、メディア内のタイトルを表示対象として（ステップ５３）、表示制御部３５がタイトル表示を行う（ステップ５５）。
【００４０】
一方、選択されている種類のタイトルが得られない場合、切り替え部３４は、選択されているタイトルの種類を他の種類に切り替える。すなわち、上記のようにメディア情報表示が手動選択されているが、ソースとして選択されている外付け再生ユニット５がメディア情報未対応の場合、切り替え部３４は、表示対象をユーザータイトルに自動切り替えし（ステップ５４）、表示制御部３５は、現在セットされているディスクに対応するユーザータイトルを表示器２に表示することになる（ステップ５５）。
【００４１】
〔１−３．第１実施形態の効果〕
以上のように、第１実施形態では、手動選択された種類のタイトルが、ＣＤドライブがメディア情報に対応していないなどの原因で得られないときでも、改めて手動選択の操作を行うまでもなく表示されるタイトルが他の種類に自動切り替えされるので、ディスクやトラックの識別が容易になる。
【００４２】
また、第１実施形態では、ＣＤ−ＴＥＸＴに対応していないＣＤやそのアクセス用ドライブを使う場合のように、ディスク自体に記録されたタイトルが得られない場合でも、ディスクに対応付けて車載用ディスク再生装置のメモリなどに記録されているユーザータイトルを表示することができる。このため、より多くのディスクについて、タイトル表示による識別が容易になる。
【００４３】
すなわち、第１実施形態では、ディスクタイトルやトラックタイトルの表示モードが手動選択されているが、再生ソース（音源）として指定された外付け再生ユニット５がＣＤ−ＴＥＸＴ未対応の外付けＣＤオートチェンジャであるような場合でも、表示するタイトルの種類がユーザータイトルなどに自動切り替えされるので、ディスクやトラックの識別が容易になる。
【００４４】
〔２．第２実施形態〕
第２実施形態は、ディスクタイトル、トラックタイトル、ユーザータイトルという３種類のタイトルについて、それぞれの有無などの条件に応じ、予め種類間で決められた優先順位にしたがって、必要な自動変更を行う例を示すものである。
【００４５】
〔２−１．第２実施形態の構成〕
第２実施形態は、図２及び図３に示した第１実施形態の構成と略同様の構成を有するが、図６に示すように、内蔵再生機４１にセットされるディスクＤなどの再生メディアによって、ディスクタイトルやトラックタイトルの有無が異なる場合に対応するため、マイクロコンピュータ３によって実現される構成は次のように第１実施形態とは異なっている。
【００４６】
まず、第２実施形態における選択部３２は、表示するタイトルの種類を、ディスクタイトル、トラックタイトル、ユーザータイトルという３種類のなかから選択するように構成されている。また、第２実施形態における判定部３３は、選択されているディスクタイトル又はトラックタイトルが、現在内蔵再生機４１にセットされているディスクについて設定されているかどうかを判定する手段としての役割を果たすように構成されている。
【００４７】
また、第２実施形態における切り替え部３４は、各種類間で予め決められた優先順位にしたがって、表示するタイトルの種類を切り替えるように構成されている。より具体的には、切り替え部３４は、判定部３３による判定結果などにしたがって、表示するタイトルの種類を次のように切り替えるように構成されている。
（１）選択されているユーザータイトルが得られない場合、トラックタイトル、ディスクタイトルの優先順位で、得られる方に表示を切り替える。
（２）選択されているディスクタイトルが得られない場合、トラックタイトル、ユーザータイトルの優先順位で、得られる方に表示を切り替える。
（３）選択されているトラックタイトルが得られない場合、ディスクタイトル、ユーザータイトルの優先順位で、得られる方に表示を切り替える。
【００４８】
〔２−２．第２実施形態の作用〕
以上のように構成された第２実施形態は、次のように作用する。
〔２−２−１．第２実施形態の作用の概略〕
第２実施形態では、再生機にセットされるディスクやトラックによって、ディスクタイトルやトラックタイトルが記録されていたりいなかったりするような場合にも対応することができる。すなわち、第２実施形態は、一例として、ディスクタイトルやトラックタイトルを表示する表示モードが手動選択された状態でディスクが交換され、新しいディスクにはこれらのタイトルが記録されていない場合、自動切り替えによって代わりにユーザータイトルを表示されることで、ディスクやトラックの識別を容易にする。
【００４９】
なお、ユーザータイトルはユーザーが入力し、車載用ディスク再生装置内で記憶されるものであるため、他のディスクタイトルやトラックタイトルがいずれも得られない場合、最終的にユーザータイトルを表示すればよい。また逆に、ユーザータイトルの表示モードが手動選択されたが、ユーザータイトルが現在のディスクに対応して入力されていない場合、ディスク自体にディスクタイトルやトラックタイトルが記録されていればこれらを表示することができる。また、第２実施形態におけるこのような自動切り替えは、各種類間で予め決められた優先順位にしたがって行われる。
【００５０】
ここで、図７は、第２実施形態において、手動で選択した表示モードと、再生に係るメディアについて種類ごとのタイトルの有無との組み合わせに応じて、どのような種類のタイトルが表示されるかを表す図である。なお、この図において、「ＤＩＳＣ  ＴＩＴＬＥ」「ＴＲＡＣＫ  ＴＩＴＬＥ」「ＵＳＥＲ  ＴＩＴＬＥ」「ＮＯ  ＴＩＴＬＥ」は、必ずしも実際にこのような文字列がタイトルとして表示されるという意味ではなく、それぞれ、メディア内のディスクタイトル及びトラックタイトル、メディア又はそのトラックに対応付けられたユーザータイトル、並びにタイトル無しを表す表示と、を代表して表すものである。
【００５１】
〔２−２−２．処理手順の例〕
次に、図８は、第２実施形態におけるタイトル表示の処理手順を示すフローチャートである。すなわち、この手順では、まず、表示制御部３５が、どの種類のタイトルが手動で選択されているか、すなわち表示モードを判断し（ステップ８１）、ディスクタイトルが選択されている場合、判定部３３が、ディスクタイトルがあるかどうかを判断する（ステップ８２）。
【００５２】
なお、このような判断では、現在ソースとして選択されている内蔵再生機４１にセットされているディスクに、選択されている種類のディスクタイトルやトラックタイトルが記録されているかが判定され、より具体的には、読出命令に対してＣＤドライブがディスクに記録されていない旨の信号を返すことなどによってこのような判定を行うことができる。そして、ステップ８２において、ディスクタイトルがあると判断された場合は、表示制御部３５は、ディスクタイトルを表示対象として（ステップ８８）タイトル表示を行う（ステップ９２）。
【００５３】
また、ステップ８１において表示モードがトラックタイトルと判断された場合と、ステップ８２においてディスクタイトルがないと判断された場合、判定部３３は、トラックタイトルがあるかどうかを判断する（ステップ８３）。そして、このステップ８３において、トラックタイトルがあると判断された場合は、表示制御部３５は、トラックタイトルを表示対象として（ステップ８９）タイトル表示を行う（ステップ９２）。
【００５４】
また、ステップ８１において表示モードがユーザータイトルと判断された場合と、ステップ８３においてトラックタイトルがないと判断された場合、表示制御部３５が、ユーザータイトルがあるかどうかを判断する（ステップ８４）。そして、このステップ８４において、ユーザータイトルがあると判断された場合は、表示制御部３５は、ユーザータイトルを表示対象として（ステップ９０）タイトル表示を行う（ステップ９２）。
【００５５】
また、ステップ８４においてユーザータイトルがないと判断された場合、表示制御部３５は、表示モードとしてユーザータイトルを表示するモードが選択されているかどうか判断する（ステップ８５）。このステップ８５において、表示モードとしてユーザータイトルを表示するモードが選択されている場合、トラックタイトルがあれば（ステップ８６）トラックタイトルを表示対象として（ステップ８９）タイトル表示が行われる（ステップ９２）。
【００５６】
また、ステップ８６においてトラックタイトルがないと判断された場合、ディスクタイトルがあれば（ステップ８７）ディスクタイトルを表示対象として（ステップ８８）タイトル表示が行われる（ステップ９２）。
【００５７】
そして、ステップ８７においてディスクタイトルがないと判断された場合と、ステップ８５において表示モードとしてユーザータイトルを表示するモードが選択されていないと判断された場合は、表示対象なしとして（ステップ９１）その旨の例えば「ＮＯ  ＴＩＴＬＥ」といったタイトル表示が行われる（ステップ９２）。
【００５８】
以上のような手順によって、この第２実施形態では、手動で選択されているタイトルの種類と、どの種類のタイトルがあるかとの関係に応じて、次のようなタイトル表示が行われることになる。
（１）ディスクタイトルが手動選択されている場合：
ディスクタイトルがあればそれを表示する。◎◎
ディスクタイトルがなければ、トラックタイトルを表示する。
【００５９】
トラックタイトルもなければ、ユーザータイトルを表示する。
ユーザータイトルも入力されていなければ、タイトル無しの旨の表示を行う。
【００６０】
（２）トラックタイトルが手動選択されている場合：
トラックタイトルがあればそれを表示する。
トラックタイトルがなければ、ディスクタイトルを表示する。
ディスクタイトルもなければ、ユーザータイトルを表示する。
ユーザータイトルも入力されていなければ、タイトル無しの旨の表示を行う。
【００６１】
（３）ユーザータイトルが手動選択されている場合：
ユーザータイトルがあればそれを表示する。
ユーザータイトルが入力されていなければ、トラックタイトルを表示する。◎◎
トラックタイトルもなければ、ディスクタイトルを表示する。
【００６２】
ディスクタイトルもなければ、タイトル無しの旨の表示を行う。
【００６３】
〔２−２−３．自動切り替えに際する処理〕
また、本発明の車載用ディスク再生装置は、切り替え部３４などの作用により、上記のように表示するタイトルの種類を自動で切り替えるときその旨を表示するように構成することが望ましい。すなわち、自動切り替えのときに、表示モードを表す表示を点灯や点滅するなどによってその旨を表示することによって、ユーザは表示されているタイトルの種類を取り違えることがなく、適切な操作が容易になる。
【００６４】
また、本発明の車載用ディスク再生装置は、切り替え部３４などの作用により、選択部３２によってタイトルの種類が選択された後予め決められた時間の間、自動切り替えを行わないように構成することが望ましい。すなわち、手動選択後しばらくはタイトルの種類を自動切り替えしないことで、自動切り替え後でも再度手動選択で種類ごとのタイトルの有無を確認することができる。
【００６５】
すなわち、このようにすれば、自動切り替えされた状態で手動選択を行ったとき、すぐに再度自動切り替えされてどの種類のタイトルを表示しているかわからなくなるといったことがなく適切な操作が容易になる。また、自動切り替え後でも、所望の種類のタイトルの有無を手動選択で確認し、存在すればその所望の種類を優先して表示させることができる。
【００６６】
〔２−３．第２実施形態の効果〕
以上のように、第２実施形態では、ディスクタイトルやトラックタイトルの表示モードが手動選択されていて、再生ソース（音源）として指定されたＣＤドライブもＣＤ−ＴＥＸＴに対応した外付けＣＤオートチェンジャであるが、セットされているディスクがＣＤ−ＴＥＸＴ未対応のような場合、表示するタイトルの種類がユーザータイトルなどに自動切り替えされるので、ディスクやトラックの識別が容易になる。
【００６７】
また、第２実施形態では、例えば、ディスクタイトルから切り替える他の種類として、トラックタイトルとユーザータイトルのように候補が複数考えられる場合、種類間の関係などに基づいて予め決めた優先順位で切り替えが行われる。このため、ディスクタイトルが得られないとき、トラックタイトルが得られればそれを表示し、トラックタイトルがないときはユーザータイトルを表示するといった適切な自動切り替えによって、ディスクやトラックの識別が容易となる。
【００６８】
〔３．他の実施の形態〕
なお、本発明は上記実施形態に限定されるものではなく、次に例示するような他の実施形態も含むものである。例えば、車載用ディスク再生装置及びその制御方法並びに車載用ディスク再生装置の制御用ソフトウェアを記録した記録媒体は、再生専用には限定されず、録音機能など他の機能を持つものも含む概念である。また、本発明にいうディスクは、デジタル情報を記録できる記録媒体を広く意味し、大容量メモリカードなども含む概念である。
【００６９】
また、上記各実施形態に示したタイトルの種類や種類間の優先順位は一例に過ぎず、表示するタイトルの種類は４種類以上のなかから選択するようにしてもよく、自動切替のオン／オフや、自動切替における種類間の優先順位はユーザの操作によって設定できるようにしてもよい。また、ユーザータイトルは、メモリ以外の例えばハードディスク装置などの記憶装置に記録しておいてもよく、さらに、ユーザータイトルとして絵文字やグラフィックスを使うことも考えられる。
【００７０】
また、選択されている種類のタイトルをディスクから読み出すための読出手段を、接続されている第２のユニットが備えているかどうかを判定するための手段や、選択されている種類のタイトルが、セットされているディスクについて設定されているかどうかを判定するための手段は必須ではない。また、タイトルの種類を切り替えるときその旨を表示することや、タイトルの種類が選択された後予め決められた時間の間、切り替えを行わないことも必須ではない。
【００７１】
また、本発明の車載用ディスク再生装置の制御用ソフトウェアを記録した記録媒体は、スペアナ表示のパターン制御といった他の機能も自由に組み合わせた制御ソフトウェアや、そのような制御ソフトウェアが格納されたアップグレード用ＲＯＭチップなどとして実現することもできる。
【００７２】
また、再生対象とするディスクと同じ形式のＭＤなどのディスクに、本発明を実現するための上記のようなソフトウェアをファイルなどの形式で記録したものを提供し、ユーザーがそのディスクを車載用ディスク再生装置に挿入することで、そのような制御ソフトウェアをユーザーの車載用ディスク再生装置にインストールするようにしてもよい。
【００７３】
【発明の効果】
以上のように、本発明によれば、選択された種類のタイトルが得られなくても、表示するタイトルの種類を自動切り替えすることで、表示領域を有効活用してディスクの識別を容易にする車載用ディスク再生装置及びその制御方法並びに車載用ディスク再生装置の制御用ソフトウェアを記録した記録媒体を提供することができる。
【図面の簡単な説明】
【図１】本発明の第１実施形態の機器構成を示すブロック図。
【図２】本発明の第１実施形態のより具体的な構成を示すブロック図。
【図３】本発明の第１実施形態におけるマイクロコンピュータの具体的な構成を示す機能ブロック図。
【図４】本発明の第１実施形態において、選択した表示モードと再生機との組み合わせに応じてどの種類のタイトルが表示されるかを示す図。
【図５】本発明の第１実施形態におけるタイトル表示の処理手順を示すフローチャート。
【図６】本発明の第２実施形態において、ディスクなどの再生メディアによって、ディスクタイトルやトラックタイトルがあったりなかったりする状態を示す概念図。
【図７】本発明の第２実施形態において、選択した表示モードと、メディアの各種類のタイトルの有無との組み合わせに応じてどの種類のタイトルが表示されるかを示す図。
【図８】本発明の第２実施形態におけるタイトル表示の処理手順を示すフローチャート。
【符号の説明】
１…マスターユニット
２…表示器
３，５３…マイクロコンピュータ
４…キー
５，６…外付け再生ユニット（ＣＤドライブ）
１１…ディスク挿入口
３１…ユーザータイトル用メモリ
３２…選択部
３３…判定部
３４…切り替え部
３５…表示制御部
４１，５０…再生機
１００…ＢＵＳライン
【図１】
0003839980.tif 000002
【図２】
0003839980.tif 000003
【図３】
0003839980.tif 000004
【図４】
0003839980.tif 000005
【図５】
0003839980.tif 000006
【図６】
0003839980.tif 000007
【図７】
0003839980.tif 000008
【図８】
0003839980.tif 000009